(57)【要約】【課題】組み立て、取り付けが簡単な駆動補助レールを備えた育苗箱用播種機を提供する。【解決手段】搬送用の駆動レール上に、育苗箱に床土を入れる床土供給装置と、該床土供給装置を通過後に床土上面から灌水する灌水装置と、該灌水装置を通過後に床土上に規定量の水稲種もみを播種する播種装置と、該播種装置を通過後に上面から規定量の覆土を落とす覆土装置を配置し、育苗箱搬送用の駆動レールに駆動補助レールを連設可能とした育苗箱用播種機において、該駆動レールに駆動補助レールを連設した状態で、該駆動レールから駆動補助レールへ回転動力を伝える動力伝達部を、該駆動レール側に設けた駆動側歯車と、該駆動補助レールの側に設けた従動側歯車との噛合により行う構成とした。【選択図】図７
2017147964.tif 000002
【特許請求の範囲】
【請求項１】
搬送用の駆動レール上に、育苗箱に床土を入れる床土供給装置と、該床土供給装置を通過後に床土上面から灌水する灌水装置と、該灌水装置を通過後に床土上に規定量の水稲種もみを播種する播種装置と、該播種装置を通過後に上面から規定量の覆土を落とす覆土供給装置を配置し、育苗箱搬送用の駆動レールに駆動補助レールを連設可能とした育苗箱用播種機において、
前記駆動レールに駆動補助レールを連設した状態で、前記駆動レールから駆動補助レールへ回転動力を伝える動力伝達部を、前記駆動レール側に設けた駆動側歯車と前記駆動補助レールの側に設けた従動側歯車との噛合により行う構成とした
ことを特徴とする育苗箱用播種機。
【請求項２】
請求項１記載の育苗箱用播種機において、
前記駆動レール内と駆動補助レール内に、各々の駆動ローラーに動力を伝達するチェーン駆動機構を収納すると共に、前記駆動レール側のチェーン駆動機構の連結側端部に、駆動側歯車を軸受支持して突出させ、前記駆動補助レール側のチェーン駆動機構の連結側端部に、従動側歯車を軸受支持して突出させた
ことを特徴とする育苗箱用播種機。
【請求項３】
請求項１又は請求項２記載の育苗箱用播種機において、
前記駆動レールの連結側端部と駆動補助レールの連結側端部とを回動支点軸により連結し、
前記駆動補助レールは、前記回動支点軸を中心に上下に回動可能とし、
前記回動支点軸を中心とする駆動補助レールの下方への回動を係止する下方回動ストッパーを設けた
ことを特徴とする育苗箱用播種機。
【請求項４】
請求項１乃至請求項３のいずれか一項に記載の育苗箱用播種機において、
前記下方回動ストッパーは、前記駆動レール側に連結側端部と係合して、前記駆動補助レールの回動下方位置を決定し、前記駆動側歯車と従動側歯車との噛合状態を維持する構成とした
ことを特徴とする育苗箱用播種機。
【発明の詳細な説明】
【技術分野】
【０００１】
本発明は、育苗箱用播種機における主たる搬送部である駆動レールに、補助的に追加連設する駆動補助レールの装着と動力伝達部の構成に関する。
【背景技術】
【０００２】
従来、育苗箱用播種機の駆動レールに対して、駆動補助レールを追加連設する技術は公知とされているのである。例えば、特許文献１に記載の如く、移送台側の駆動レールのプーリーと、延長側の駆動補助レールのプーリーとにベルトを巻回したものが公知となっているのである。
【先行技術文献】
【特許文献】
【０００３】
【特許文献１】特開２０１０−１１９３７２号公報
【発明の概要】
【発明が解決しようとする課題】
【０００４】
しかし、特許文献１に記載の技術においては、移送台である駆動レール側と、延長フレーム側である駆動補助レールの、それぞれのプーリー間に跨がらせて、Ｖベルトを巻回した構成であるので、駆動レールに対する駆動補助レールの組み立て、取り付けが面倒となっていたのである。また、駆動レールと駆動補助レールの間の動力伝達は、育苗箱搬送用の駆動部側のプーリーと駆動補助レール側のプーリーにＶベルトを掛けて駆動を伝達していたので、Ｖベルトが育苗箱を搬送していくため、磨耗が早く部品交換が頻繁に必要であるという問題があったのである。本発明は、移送台側の駆動レールと、延長フレーム側である駆動補助レールの先端との間にそれぞれ歯車を設け、その先端の歯車同士を噛合することで、駆動を伝達させる構成としたものである。
【課題を解決するための手段】
【０００５】
本発明の解決すべく課題は以上の如くであり、次に該課題を解決するための手段を説明する。
【０００６】
請求項１においては、搬送用の駆動レール上に、育苗箱に床土を入れる床土供給装置と、該床土供給装置を通過後に床土上面から灌水する灌水装置と、該灌水装置を通過後に床土上に規定量の水稲種もみを播種する播種装置と、該播種装置を通過後に上面から規定量の覆土を落とす覆土供給装置を配置し、育苗箱搬送用の駆動レールに駆動補助レールを連設可能とした育苗箱用播種機において、前記駆動レールに駆動補助レールを連設した状態で、前記駆動レールから駆動補助レールへ回転動力を伝える動力伝達部を、前記駆動レール側に設けた駆動側歯車と前記駆動補助レールの側に設けた従動側歯車との噛合により行う構成としたものである。
【０００７】
請求項２においては、請求項１記載の育苗箱用播種機において、前記駆動レール内と駆動補助レール内に、各々の駆動ローラーに動力を伝達するチェーン駆動機構を収納すると共に、前記駆動レール側のチェーン駆動機構の連結側端部に、駆動側歯車を軸受支持して突出させ、前記駆動補助レール側のチェーン駆動機構の連結側端部に、従動側歯車を軸受支持して突出させたものである。
【０００８】
請求項３においては、請求項１又は請求項２記載の育苗箱用播種機において、前記駆動レールの連結側端部と駆動補助レールの連結側端部とを回動支点軸により連結し、前記駆動補助レールは、前記回動支点軸を中心に上下に回動可能とし、前記回動支点軸を中心とする駆動補助レールの下方への回動を係止する下方回動ストッパーを設けたものである。
【０００９】
請求項４においては、請求項１乃至請求項３のいずれか一項に記載の育苗箱用播種機において、前記下方回動ストッパーは、前記駆動レール側に連結側端部と係合して、前記駆動補助レールの回動下方位置を決定し、前記駆動側歯車と従動側歯車との噛合状態を維持する構成としたものである。
【発明の効果】
【００１０】
本発明は以上の如く構成したので、次のような効果を奏するものである。
【００１１】
請求項１の如く構成したので、前記駆動レール側の端部と、駆動補助レール側の端部との歯車に、従来の如く、ベルトを巻回する必要がないために、組み立て、取り付けが簡単になるのである
また、従来技術の如く、Ｖベルトをプーリーに巻回して取り付ける必要がないため、駆動補助レールの動力伝達機構の取り付けが簡単となるのである。
また、従来技術の如く、消耗品であるＶベルトを使用する必要がなくため、消耗品点数の削減ができるのである。
また、駆動補助レールの駆動は、駆動レールにおける駆動チェーンにより駆動力を、駆動側歯車と従動側歯車により伝達して行うことができるので、駆動補助レールの側に駆動モータによる駆動部を設ける必要がなくなり、部品点数を削減し、部品の共通化を図ることが可能となったのである。
【００１２】
請求項２の如く構成したので、駆動レールの連結側端部と、駆動補助レールの連結側の端部に、駆動側歯車と従動側歯車を、各々突設して、軸受支持しただけの構造で、両者の連結部を構成することが可能となり、簡単な構造で駆動補助レールの連結部と動力伝達部を構成することができたものである。
【００１３】
請求項３の如く構成したので、前記駆動レールと駆動補助レールの、該回動支点軸を中心とした回動量を、下方回動ストッパーの突出量により調整することにより、駆動側歯車と従動側歯車との噛合状態を調整することが可能となったものである。
【００１４】
請求項４の如く構成したので、前記駆動側歯車と従動側歯車の歯車の噛合を、駆動補助レール自体の、回動支点軸を中心とする下方への回動により行うこととなるので、過剰な負荷が掛かった場合においては、駆動補助レールが回動支点軸を中心に回動して、両歯車の駆動状態を回避解消して、過負荷を回避することができるのである。
【図面の簡単な説明】
【００１５】
【図１】駆動補助レールを付設した育苗箱用播種機の全体斜視図。
【図２】駆動補助レールを付設した育苗箱用播種機の全体側面図。
【図３】駆動補助レールを付設した育苗箱用播種機の全体平面図。
【図４】駆動補助レールを駆動レールに付設した部分の拡大斜視図
【図５】駆動補助レールを駆動レールに連設した状態の側面図。
【図６】駆動補助レールを駆動レールに連設した状態の平面図。
【図７】駆動補助レールを駆動レールから外すために上方へ回動した状態の側面図。
【図８】駆動補助レールを駆動レールから外すために側方へ回動した状態の平面図。
【図９】駆動補助レールの一方をチェーン連動部とし、他方を歯車動力伝達部とした構成を示す斜視図。
【図１０】駆動補助レールの他方の歯車動力伝達部を示す側面図。
【図１１】駆動補助レールの他方の歯車動力伝達部を示す側面図。
【図１２】駆動補助レールの一方のチェーン連動部の側面図。
【図１３】駆動レールと駆動補助レールの動力伝達系統を示す平面図。
【発明を実施するための形態】
【００１６】
以下、本発明を実施するための形態について図面に基づき説明する。                
【００１７】
図１と図２と図３において、駆動補助レールを追加装着可能とした水稲の育苗箱用播種機について説明する。図１において矢印Ｆで示した方向が、育苗箱の搬送方向である。育苗箱用播種機は、基台として育苗箱を搬送する駆動レールＲが設けられており、該駆動レールＲの搬送方向の前端に、駆動補助レール１を追加付設可能としている。該駆動補助レール１の駆動レールＲへの付設は、駆動レールＲの始端部においても、終端部においても、付設しても良いものである。図１から図３において、育苗箱用播種装置は、該駆動レールＲの前側端部から順に、床土供給装置Ａの駆動部Ｈが設けられており、該駆動部Ｈにより、床土供給装置Ａ部分の下方の駆動レールＲと床土供給装置Ａと均平装置Ｅとを駆動すべく構成している。
【００１８】
前記均平装置Ｅの次には、灌水装置Ｄが配置されており、前記床土供給装置Ａにより床土が供給された育苗箱の上を、均平装置Ｅの回転ブラシで余分の床土を払い落として、次の灌水装置Ｄに移動させる。該灌水装置Ｄにおいて、均平された育苗箱の床土の表面に水を灌水して、次の播種装置Ｂに強制的に搬送する。
【００１９】
前記播種装置Ｂは、内部に駆動モータを具備しており、上部に設けた種子ホッパー１８に充填された種子が、内部に配置された繰出しロールにより、一定量ずつ、左右方向に横列に並んだ状態で、育苗箱の表面に落下して播種が行われる。該播種装置Ｂの次の段階において、覆土供給装置Ｃが設けられている。該覆土供給装置Ｃにより、該種子が播種された育苗箱の床土の上に、育成土壌が覆土される。該育成土壌ば前記床土供給装置Ａにおいて投入した床土と同じものであってもよい。そして、播種・覆土の終わった育苗箱は、前記駆動レールＲの最終端部にまで搬送される。
【００２０】
育苗箱用播種機は、該駆動レールＲの前部に駆動補助レール１を連設し、かつ搬送動力を伝達するための構成である。即ち、該駆動補助レール１と駆動レールＲで全体として１本の強制駆動を行う搬送レールを構成している。該駆動レールＲと駆動補助レール１は、左右一対のレールにより構成されており、該左右のレールの間に、軸受支持された駆動ローラー５と従動ローラー５０とを配置している。該駆動ローラー５は、駆動装置を構成するモータにより、駆動チェーン４９を介して強制的に回転され、従動ローラー５０は、駆動ローラー５と駆動ローラー５の間で育苗箱の移動と共に、摩擦により従動回転すべく構成している。
【００２１】
前記駆動レールＲの先端また後端部分において、更に駆動ローラー５で育苗箱を強制的に駆動可能とする駆動補助レール１を簡単に追加付設可能とするものである。そのために、該駆動補助レール１の側に設けられた駆動ローラー５をも、主たる搬送装置である駆動レールＲの側から動力伝達して駆動する必要があるのである。
【００２２】
図４から図１３において、育苗箱用播種機の駆動補助レールの具体的な構成について説明する。図４と図５において図示する如く、駆動レールＲの前端部分で、床土供給装置Ａよりも前の部分には、支持脚４６が配置されている。該支持脚４６は、床土供給装置Ａを支持する駆動レールＲに前後に２組が立設されている。また播種装置Ｂと覆土供給装置Ｃを支持する駆動レールＲの下方にも、該支持脚４６の２組が立設して配置されている。また、覆土供給装置Ｃの後部の追加された駆動レールＲの部分にも１組の支持脚４６が設けられている。駆動補助レール１の部分には、支持脚４６による支持部が構成されていないのである。
【００２３】
このように駆動補助レール１の下部に支持脚４６が設けられていないのは、該駆動補助レール１が回動支点軸４３を中心に重力で下方に回動する力により、駆動側歯車４５と従動側歯車４４の噛合状態の調整を行うためである。該駆動側歯車４５と従動側歯車４４の噛合状態を調整するために、駆動レールＲまたは駆動補助レール１の連設側端部に下方回動ストッパー４２が設けられる。  
【００２４】
図１０、図１１に図示する如く、前記下方回動ストッパー４２・４２は、前記駆動補助レール１の側のレール１ａ・１ｂから、前記駆動レールＲの側に向けて突出されている。前記下方回動ストッパー４２は、固定されたナット４２ａに対して螺装調整可能とされているので、該下方回動ストッパー４２をナット４２ａに対して回転することにより、前後方向の突出量を調整することが可能となっている。この下方回動ストッパー４２の突出量の調整により、駆動側歯車４５と従動側歯車４４との間の噛合状態を変更可能としているのである。
【００２５】
図１２、図１３に示す如く、前記駆動レールＲの一方のレール６０の内部には、駆動ローラー５を駆動するために駆動チェーン４９が配置されており、複数の駆動ローラー５のスプロケット４７・４８に、該駆動チェーン４９が巻回されて、駆動モータの回転を駆動ローラー５に伝達している。該駆動ローラー５と駆動ローラー５の間には、駆動されない従動ローラー５０が架設されている。該従動ローラー５０は、駆動レールＲの上を通過する育苗箱との摩擦力で従動回転し、育苗箱のスムーズな搬送を可能としているのである。
【００２６】
前記駆動レールＲを構成するレール６０・６１の一方の内部には、駆動ローラー５を駆動する動力伝達系統である駆動チェーン４９が配置されている。該駆動レールＲを構成するレール６０・６１の内部に、２つの歯車が軸受支持されているのである。即ち、前記連設側の端部のスプロケット４７が固定された駆動支持軸６４の上に、動力取出歯車６３が固設されており、該動力取出歯車６３と噛合する駆動側歯車４５が、レール６０・６１の連設側の端部に設けられた支持軸４５ａにより軸受支持されているのである。
【００２７】
即ち、該駆動レールＲの側のレール６０・６１の連設側の内部において、駆動側歯車４５を、駆動レールＲから突出させて軸受支持するために、動力取出歯車６３が１枚介装されているのである。図１０においては、該動力取出歯車６３と駆動側歯車４５が、駆動レールＲのレール６０・６１の側に２枚噛合した状態で支持された状態が図示されている。
【００２８】
このようにして、駆動レールＲの側から２枚の歯車の噛合状態に構成されて突設された駆動側歯車４５に対して、駆動補助レール１の連設端部側からは、従動側歯車４４が１枚のみ突出されて、噛合を可能としているのである。該従動側歯車４４を支持する軸は、前記連設側の駆動補助レール１の端部のスプロケット４７が固定された駆動補助レール側スプロケット軸４８をそのまま兼用して固定しているのである。故に、駆動補助レール１の側には、歯車は従動側歯車４４の１枚のみが駆動補助レール側スプロケット軸４８に軸受支持されている。
【００２９】
前記駆動補助レール１を構成する他の駆動ローラー５は、該従動側歯車４４により駆動される駆動補助レール側スプロケット軸４８から同じく駆動チェーンを介して駆動されて、駆動ローラー５が駆動されているのである。該駆動補助レール１にも、従動ローラー５０が中間位置に配置されている。
【００３０】
前記駆動補助レール１と駆動レールＲとの間の脱着操作を行う、回動支点軸４３・４３が、駆動補助レール１の側の組立ブラケット５１・５１から突出されている。該回動支点軸４３・４３は、駆動レールＲの側の一方のレール６０と他方のレール６１の端部に固設された駆動レールＲ側の組立ブラケット５２・５２に開口された回動枢支孔５３・５３に嵌挿可能としている。
【００３１】
前記回動枢支孔５３・５３に回動支点軸４３・４３を嵌入後に、両者間で抜けることがないように、回動支点軸４３・４３には、軸心と直交する方向にベータ型の係止ピンが嵌入可能な孔が開口されている。この回動支点軸４３・４３を回動枢支孔５３・５３に嵌入してベータ型の係止ピンを嵌挿することにより、駆動補助レール１と駆動レールＲとの間の組立が終了するのである。該駆動補助レール１を取り外す場合にも、前記ベータ型の係止ピンを外すことにより簡単に外すことが可能である。
【００３２】
図１０に示すように、前記駆動側歯車４５の前の位置に、カウンター歯車として、動力取出歯車６３を別に設けているのである。この構成により、駆動レールＲの側から、駆動側歯車４５を駆動補助レール１の側に突出して露出させ、従動側歯車４４の噛合を可能としているのである。
【００３３】
前記駆動チェーン４９による駆動機構は、駆動レールＲの他方のレール６１の側の内部に配置されており、該駆動チェーン４９で駆動される駆動支持軸６４により、前記動力取出歯車６３を駆動させ、該動力取出歯車６３と駆動側歯車４５が噛合しており、更に該駆動側歯車４５が、駆動補助レール１の側の駆動補助レール側スプロケット軸４８の上の従動側歯車４４と噛合可能に構成している。
【００３４】
このように構成することにより、駆動レールＲのレール６０・６１と、駆動補助レール１の他方のレール１ａ・１ｂの両方の同じ側に、駆動チェーン４９により駆動機構を配置することができるのである。前記回動支点軸４３・４３と下方回動ストッパー４２の構造については、図５・図６・図７・図８・図９において、その脱着構造が詳細に開示されている。
【００３５】
本発明においては、搬送用の駆動レール上に、育苗箱に床土を入れる床土供給装置と、該床土供給装置を通過後に床土上面から灌水する灌水装置と、該灌水装置を通過後に床土上に規定量の水稲種もみを播種する播種装置と、該播種装置を通過後に上面から規定量の覆土を落とす覆土装置を配置し、育苗箱搬送用の駆動レールに駆動補助レールを連設可能としたる育苗箱用播種機において、該駆動レールに駆動補助レールを連設した状態で、該駆動レールから駆動補助レールへ回転動力を伝える動力伝達部を、該駆動レール側に設けた駆動側歯車と、該駆動補助レールの側に設けた従動側歯車との噛合により行うので、前記駆動レール側の端部と、駆動補助レール側の端部との歯車に、従来の如く、ベルトを巻回する必要がないために、組み立て、取り付けが簡単になるのである
【００３６】
また、従来技術の如く、Ｖベルトをプーリーに巻回して取り付ける必要がないため、駆動補助レールの動力伝達機構の取り付けが簡単となるのである。また、従来技術の如く、消耗品であるＶベルトを使用する必要がなくため、消耗品点数の削減ができるのである。
【００３７】
また、前記駆動補助レールの駆動は、駆動レールにおける駆動チェーンにより駆動力を、駆動側歯車と従動側歯車により伝達して使用することができるので、駆動補助レールの側に駆動モータによる駆動部を設ける必要がなくなり、部品点数を削減し、部品の共通化を図ることが可能となったのである。
【００３８】
また、前記駆動レール内と駆動補助レール内において、各々の駆動ローラーに動力を伝達するチェーン駆動機構を収納すると共に、該駆動チェーンによる駆動機構の、該駆動レール側の連結側端部に、駆動側歯車を軸受支持して突出させ、該駆動補助レール側の駆動チェーンによる駆動機構の連結側端部に従動側歯車を軸受支持して、突出させたので、駆動レールの連結側端部と、駆動補助レールの連結側の端部に、駆動側歯車と従動側歯車を、各々突設して、軸受支持しただけの構造で、両者の連結部を構成することが可能となり、簡単な構造で駆動補助レールの連結部と動力伝達部を構成することができたものである。
【００３９】
また、前記駆動レールの連結側端部と駆動補助レールの連結側端部とを回動支点軸により連結し、該駆動補助レールは、該回動支点軸を中心に上下に回動可能とし、該回動支点軸を中心とする駆動補助レールの下方への回動を係止する下方回動ストッパーを設けたので、前記駆動レールと駆動補助レールの、該回動支点軸を中心とした回動量を、下方回動ストッパー４２の突出量により調整することにより、駆動側歯車と従動側歯車との噛合状態を調整することが可能となったものである。
【００４０】
また、前記下方回動ストッパーは、駆動レール側に連結側端部と係合して、前記駆動補助レールの回動下方位置を決定し、前記駆動側歯車と従動側歯車が噛合状態を維持するので、前記駆動側歯車と従動側歯車の歯車の噛合を、駆動補助レール自体の、回動支点軸を中心とする下方への回動により行うこととなるので、過剰な負荷が掛かった場合においては、駆動補助レールが回動支点軸を中心に回動して、両歯車の駆動状態を回避解消して、過負荷を回避することができるのである。
【符号の説明】
【００４１】
Ａ  床土供給装置
Ｂ  播種装置
Ｃ  覆土供給装置
Ｄ  灌水装置
Ｅ  均平装置
Ｒ  駆動レール
１  駆動補助レール
１ａ  一方のレール
１ｂ  他方のレール
５  駆動ローラー
４２  下方回動ストッパー
４３  回動支点軸
４４  従動側歯車
４５  駆動側歯車
４６  駆動支持軸
４７  スプロケット
４８  駆動補助レール側スプロケット軸
４９  駆動チェーン
５０  従動ローラー
５１  組立ブラケット
５２  組立ブラケット
５３  回動枢支孔
６０  一方のレール
６１  他方のレール
６３  動力取出歯車
６４  駆動支持軸
【図１】
2017147964.tif 000003
【図２】
2017147964.tif 000004
【図３】
2017147964.tif 000005
【図４】
2017147964.tif 000006
【図５】
2017147964.tif 000007
【図６】
2017147964.tif 000008
【図７】
2017147964.tif 000009
【図８】
2017147964.tif 000010
【図９】
2017147964.tif 000011
【図１０】
2017147964.tif 000012
【図１１】
2017147964.tif 000013
【図１２】
2017147964.tif 000014
【図１３】
2017147964.tif 000015